(57)【要約】  【課題】  使用開始前まで先端被覆部材を確実に固着保持可能なボールペンチップを提供する。  【解決手段】  先端被覆部材６の末端部６ａをテーパー部１の大径側端部１ｂ近くに接近させることにより、該先端被覆部材６の末端部６ａとテーパー部１の大径側端部１ｂとの間に大きな環状の段部ができない。  【選択図】      図１
2005279979.tif 000002
【特許請求の範囲】
【請求項１】
チップ先端部（Ａ１）の転写ボール（２）、カシメ部（３）及びテーパー部（１）のカシメ側端部（１ａ）を覆うように先端被覆部材（６）が固着されたボールペンチップにおいて、
前記先端被覆部材（６）の末端部（６ａ）をテーパー部（１）の大径側端部（１ｂ）近くに接近させたことを特徴とするボールペンチップ。
【請求項２】
上記先端被覆部材（６）の最大径をテーパー部（１）の大径側端部（１ｂ）と略同径以下にしたことを特徴とする請求項１記載のボールペンチップ。
【請求項３】
上記先端被覆部材（６）の側面に、テーパー部（１）の後方に連続して形成される円筒部（Ａ２）と平行なストレート部（６ｂ）を形成したことを特徴とする請求項１又は２記載のボールペンチップ。
【請求項４】
溶解材料（Ｂ）の中にチップ先端部（Ａ１）のみを浸し所定量付着して、転写ボール（２）、カシメ部（３）及びテーパー部（１）のカシメ側端部（１ａ）を覆うように先端被覆部材（１）が形成されて固着したボールペンチップの製造方法において、
前記チップ先端部（Ａ１）に付着した溶解材料（Ｂ）を成形型（Ｃ）に接触させて、該溶解材料（Ｂ）の末端部（Ｂ１）をテーパー部（１）の大径側端部（１ｂ）近くまで圧延することで、先端被覆部材（６）を形成したことを特徴とするボールペンチップの製造方法。
【請求項５】
上記成形型（Ｃ）が、テーパー部（１）の大径側端部（１ｂ）と略同径以下の貫通孔（Ｃ１）であって、この貫通孔（Ｃ１）に所定量の溶解材料（Ｂ）が付着したチップ先端部（Ａ１）を挿通して、溶解材料（Ｂ）を圧延したことを特徴とする請求項４記載のボールペンチップの製造方法。
【請求項６】
上記成形型（Ｃ）が、テーパー部（１）と嵌め合う略円錐状の凹部（Ｃ２）であって、この略円錐状の凹部（Ｃ２）に所定量の溶解材料（Ｂ）が付着したチップ先端部（Ａ１）を挿入して、溶解材料（Ｂ）を圧延したことを特徴とする請求項４記載のボールペンチップの製造方法。
【発明の詳細な説明】
【技術分野】
【０００１】
本発明は、例えば水性の剪断減粘性インクを用いたノック式ボールペンなどのように、ボールペンチップの先端が乾燥したりインク中の水分が揮発するのを防止するとともにチップ先端を保護するために、先端被覆部材（シールピール）を取り付けたボールペンチップ及びその製造方法に関する。
【背景技術】
【０００２】
従来、この種のボールペンチップの製造方法として、溶解したホットメルト接着剤の中にチップ先端部のみを浸して所定量分だけ付着させることにより、略球形の先端被覆部材（先端被覆樹脂）が形成されて、該チップ先端部の転写ボール、カシメ部及びテーパー部のカシメ部側を覆うように固着され、チップ先端部の乾燥防止及びインク中の水分の揮発防止を図ったものがある（例えば、特許文献１参照）。
そして、上記先端被覆部材との固着部位のうち、カシメ部、テーパー部のカシメ部側、又はカシメ部及びテーパー部のカシメ部側に変形部として、円錐状の大径部を圧延加工により形成するか、或いは、環状溝を切削加工により形成するか、又は円錐状の急傾斜部と円筒状の円筒部とを連続して切削加工により形成することで、先端被覆部材の固着を確実にして使用開始前に剥がれ落ちるのを防止している。
【０００３】
しかし乍ら、このようなボールペンチップでは、略球形の先端被覆部材でチップ先端部の転写ボール、カシメ部及びテーパー部のカシメ側端部を覆っているが、これら先端被覆部材の末端部とテーパー部との間に大きな環状の段部ができるため、例えばノック動作によりチップ先端部を軸筒の先口から出し入れさせる際に、この環状段部が先口の内縁に引っ掛かって、剥がれ落ちの原因となり易く、使用開始前まで先端被覆部材を確実に保持できないという問題があった。
更に、先端被覆部材が剥がれ落ちると、その一部分がチップ先端部の円錐状の大径部や環状溝や円錐状の急傾斜部に残って、美観を損なうという問題もあった。
また、従来のボールペンチップの製造方法では、チップ先端部に圧延加工又は切削加工で円錐状の大径部や環状溝や円錐状の急傾斜部を予め形成する必要があるため、チップ先端部の製造過程に変形部の加工工程を追加しなければならず、既存の製造ラインを大幅に変更しなければならず、その分だけ製造コストが高くなるという問題があった。
【特許文献１】特開２００１−２２５５８４号公報（第２−６頁、図１−３）
【発明の開示】
【発明が解決しようとする課題】
【０００４】
本発明は、上記従来事情に鑑みてなされたもので、その課題とするところは、使用開始前まで先端被覆部材を確実に固着保持可能なボールペンチップを提供することにある。
【課題を解決するための手段】
【０００５】
上記課題を解決するために、第一の発明では、チップ先端部に先端被覆部材が転写ボール、カシメ部及びテーパー部のカシメ側端部を覆うように固着されたボールペンチップにおいて、前記先端被覆部材の末端部をテーパー部の大径側端部近くに接近させたことを特徴とする。
また、第二の発明では、上記第一の発明の構成に加えて、上記先端被覆部材の最大径をテーパー部の大径側端部と略同径以下にしたことを特徴とする。
また、第三の発明では、上記第一又は第二の発明の構成に加えて、上記先端被覆部材の側面に、テーパー部の後方に連続して形成される円筒部と平行なストレート部を形成したことを特徴とする。
そして、第四の発明では、溶解材料の中にチップ先端部のみを浸し所定量付着して、転写ボール、カシメ部及びテーパー部のカシメ側端部を覆うように先端被覆部材が形成されて固着したボールペンチップの製造方法において、前記チップ先端部に付着した溶解材料を成形型に接触させて、該溶解材料の末端部をテーパー部の大径側端部近くまで圧延することで、先端被覆部材を形成したことを特徴とする。
また、第五の発明では、上記第四の発明の構成に加えて、上記成形型が、テーパー部の大径側端部と略同径と略同径か又はそれより大径な貫通孔であって、この貫通孔に所定量の溶解材料が付着したチップ先端部を挿通して、溶解材料を圧延したことを特徴とする。
また、第六の発明では、上記第四の発明の構成に加えて、上記成形型が、テーパー部と嵌め合う略円錐状の凹部であって、この略円錐状の凹部に所定量の溶解材料が付着したチップ先端部を挿入して、溶解材料を圧延したことを特徴とする。
【発明の効果】
【０００６】
本発明は、上記構成により下記の作用効果を奏する。
第一の発明によれば、先端被覆部材の末端部をテーパー部の大径側端部近くに接近させることにより、該先端被覆部材の末端部とテーパー部の大径側端部との間に大きな環状の段部ができない。
したがって、先端被覆部材の末端部とテーパー部との間に大きな環状段部ができる従来技術と比べ、例えばノック動作によりチップ先端部を軸筒の先口から出し入れさせても引っ掛からないから、使用開始前まで先端被覆部材を確実に固着保持することができる。
よって、使用開始前まで先端被覆部材を確実に保持して、チップ先端部の乾燥防止及びインク中の水分の揮発防止とチップ先端の保護が図れる。
また、先端被覆部材が剥がれ落ちた際にその一部分がチップ先端部に残る恐れがないから美観に優れる。
【０００７】
第二の発明によれば、先端被覆部材の最大径をテーパー部の大径側端部と略同径以下にすることにより、先端被覆部材の外周とテーパー部の大径側端部とが同径の円柱状か又は若干縮径状に連続して、軸筒の先口からの出没時に先端被覆部材が引っ掛かることなく滑らかに通過する。
したがって、先口通過時における先端被覆部材の剥がれ落ちを完全に防止することができる。
【０００８】
第三の発明によれば、先端被覆部材の側面に、テーパー部の後方に連続した円筒部と平行なストレート部を形成することにより、先端被覆部材の側面が凹凸の無い面となるため、軸筒の先口からの出没時に先端被覆部材が引っ掛かることなく滑らかに通過する。
したがって、先口通過時における先端被覆部材の剥がれ落ちを完全に防止することができる。
【０００９】
第四の発明によれば、チップ先端部に付着した溶解材料を成形型に接触させて、該溶解材料の末端部をテーパー部の大径側端部近くまで圧延することにより、先端被覆部材が形成され、該先端被覆部材との接触面がテーパー部の略全面まで広がって、両者の接触面積が拡大する。
したがって、チップ先端部に特別な加工を加えずに先端被覆部材の固着を確実にすることができる。
よって、チップ先端部に圧延加工又は切削加工で円錐状の大径部や環状溝や円錐状の急傾斜部を予め形成する必要がある従来技術と比べ、チップ先端部の製造過程を増やすなくて良いから既存の製造ラインを使えて製造コストが高くならない。
【００１０】
第五の発明によれば、テーパー部の大径側端部と略同径以下の貫通孔に、所定量の溶解材料が付着したチップ先端部を挿通して、溶解材料を圧延することにより、貫通孔の内周面に接触した溶解材料が後方へ延ばされると同時に、余分な溶解材料は削ぎ落とされ、先端被覆部材が円筒状になって薄肉部分ができ難く、しかも成形型の加工性に優れる。
したがって、簡単な製造方法でありながら均一形状でシール性の良好な先端被覆部材を形成できる。
【００１１】
第六の発明によれば、テーパー部と嵌め合う略円錐状の凹部に、所定量の溶解材料が付着したチップ先端部を挿入して、溶解材料を圧延することにより、溶解材料が略円錐状凹部の内面に接触してテーパー部の全周面沿いに後方へ延ばされ、先端被覆部材が該略円錐状凹部の内面に沿った略円錐状に成型される。
したがって、少ない溶解材料で均一形状の先端被覆部材を形成できる。
【発明を実施するための最良の形態】
【００１２】
以下、本発明の各実施例を図面に基づいて説明する。
本発明のボールペンチップＡは、移動不能に保持された金属製の円柱材（図示せずに）に対し、多数の切削加工を順次施すことで、図１（ａ）〜（ｃ）及び図２に示す如く、チップ先端部Ａ１の周面に、その軸心へ向けて先細状に縮径されるテーパー部１を形成するとともに、このテーパー部１の後方に連続して軸心と平行な円筒部Ａ２を形成し、先端には、転写ボール２が挿入されるボールハウスＡ３を凹設し、このボールハウスＡ３の底面中心に向けインク通路Ａ４を貫通開穿している。
【００１３】
その後工程で、このボールハウスＡ３内に転写ボール２を挿入してから、前記テーパー部１の先端部分をカシメ工具（図示せず）によりカシメ加工してカシメ部３を形成することで、該転写ボール２を回転自在に抱持している。
【００１４】
更に、前記円筒部Ａ２の後端には、インク収容管４などが接続され、このインク収容管４の内部には、例えば所謂水性の剪断減粘性インクなどのようなインクｉが収容されてレフィールを構成している。
【００１５】
、
このレフィールには、本実施の形態の好ましい一例によれば、前記転写ボール２の後方に、この転写ボール２を前方へ付勢する例えばスプリングなどの付勢部材５が設けられる。この付勢部材５の弾発力により転写ボール２をボールハウスＡ３内の内向先端縁に押し付けて、チップ先端におけるインクダレや空気の侵入等を防止している。
【００１６】
このようなレフィールは、軸筒（図示せず）の内部に収容され、例えば軸筒の後端部などに設けられたノック機構（図示せず）をノック操作することで、チップ先端部Ａ１を軸筒の先口（図示せず）から出没させて使用する場合が多い。
【００１７】
そして、上記チップ先端部Ａ１には、主に前記インクｉ中の水分が揮発するのを防止するとともにチップ先端を保護するために先端被覆部材６が、上記転写ボール２、カシメ部３及び少なくともテーパー部１のカシメ側端部１ａを覆うように固着される。
【００１８】
この先端被覆部材６は、図１（ａ）に示す如く、プールＰ内に貯留された例えばホットメルト接着剤などの溶解材料Ｂ中に、チップ先端部Ａ１のみを浸し瞬時に引き上げて、所定量分だけ付着させると、図１（ｂ）に示す如く、表面張力によって略球形に形成される。
【００１９】
しかし、略球形のままでは先端被覆部材６が、引っ掛かり易くて使用開始前にチップ先端部Ａ１から剥がれ落ちる可能性が高いため、本実施の形態では、該先端被覆部材６を後方へ延ばす成形を行うことで、その末端部６ａをテーパー部１の大径側端部１ｂの近くに接近させている。
【００２０】
更に、この先端被覆部材６の最大径を、上記テーパー部１の大径側端部１ｂと略同径以下に形成している。なお、図示例では図１（ｃ）に示す如く、大径側端部１ｂと略同径にしているが、それより若干小径にしても良い。
また、先端被覆部材６の側面には、上記円筒部Ａ２と平行なストレート部６ｂを形成して、側面全体が略円柱形となるようにしている。
【００２１】
前述した先端被覆部材６の成形方法としては、上記チップ先端部Ａ１に付着した溶解材料Ｂを成形型Ｃに接触させて、該溶解材料Ｂの末端部Ｂ１をテーパー部１の大径側端部１ｂ近くまで圧延することで、先端被覆部材６を剥がれ落ち難い形状に成形する。
その実施例を以下に示す。
【実施例１】
【００２２】
この実施例１は、前記成形型Ｃが図１（ｂ）（ｃ）に示す如く、テーパー部１の大径側端部１ｂや円筒部Ａ２と略同径か又はそれより若干大径な貫通孔Ｃ１であって、この貫通孔Ｃ１に対し、所定量の溶解材料Ｂが付着したチップ先端部Ａ１を挿通し上下動させることで、溶解材料Ｂをテーパー部１の全周面に沿って後方へ圧延している。
【００２３】
この貫通孔Ｃ１は、適宜厚さの板材に円形状に開穿され、少なくともその内周面を溶解材料Ｂの溶融温度よりも例えば５〜１０度位低い温度に加熱しており、略球形の先端被覆部材６が挿通されて接触すると、該先端被覆部材６を徐々に冷やしながら圧延し、余分な溶解材料Ｂが該貫通孔Ｃ１の上縁及び下縁で削ぎ落とされるようにしている。
【００２４】
なお、この貫通孔Ｃ１の下方に、溶解材料Ｂが貯留されたプールＰを配置して、削ぎ落とした余分な溶解材料ＢがプールＰ内へ自動的に戻るようにしても良い。
【００２５】
次に、斯かるボールペンチップＡの作用効果について説明する。
所定温度に加熱された成形型Ｃの貫通孔Ｃ１に、所定量の溶解材料Ｂが付着したチップ先端部Ａを挿通して、溶解材料Ｂを圧延したため、貫通孔Ｃ１の内周面に接触した溶解材料Ｂが後方へ延ばされ、その接触面がテーパー部１の略全面まで広がって両者の接触面積が拡大すると同時に、余分な溶解材料Ｂは削ぎ落とされる。
【００２６】
よって、先端被覆部材６の末端部６ａがテーパー部１の大径側端部１ｂ近くに接近して、これら先端被覆部材６の末端部６ａとテーパー部１の大径側端部１ｂとの間に大きな環状段部ができない。
【００２７】
更に、図示例のボールペンチップＡによれば、先端被覆部材６の最大径をテーパー部１の大径側端部１ｂと略同径にするとともに、その側面にテーパー部１の後方に連続した円筒部Ａ２と平行なストレート部６ｂを形成したため、先端被覆部材６の外周とテーパー部４の大径側端部４ｂとが同径の円柱状でしかも略面一状に連続して、軸筒の先口からの出没時に先端被覆部材６が引っ掛かることなく滑らかに通過するので、先端被覆部材６の剥がれ落ちを完全に防止できる。
【００２８】
また図示せぬが、テーパー部１の大径側端部１ｂや円筒部Ａ２と略同径か又はそれより若干小径な貫通孔Ｃ１に対し、所定量の溶解材料Ｂが付着したチップ先端部Ａ１を挿通し上下動させることで、先端被覆部材６の最大径をテーパー部１の大径側端部１ｂより若干小径に形成した場合においても、テーパー部４の大径側端部４ｂと先端被覆部材６の外周とが若干縮径状に連続して、軸筒の先口からの出没時に先端被覆部材６が引っ掛かることなく滑らかに通過するので、同様に先端被覆部材６の剥がれ落ちを完全に防止できる。
【実施例２】
【００２９】
この実施例２は、図２に示す如く、上記成形型Ｃが、テーパー部１と嵌め合う略円錐状の凹部Ｃ２であって、この略円錐状の凹部Ｃ２に対し、所定量の溶解材料Ｂが付着したチップ先端部Ａ１を挿通し上下動させることで、溶解材料Ｂをテーパー部１の全周面に沿って後方へ圧延し、略円錐状凹部Ｃ２と内面と同じ形状の先端被覆部材６を形成した構成が、前記図１に示した実施例１とは異なり、それ以外の構成は図１に示した実施例１と同じものである。
【００３０】
前記構成によれば、溶解材料Ｂが略円錐状凹部Ｃ２の内面に接触して、テーパー部１の全周面に沿って後方へ延ばされるため、先端被覆部材６が該略円錐状凹部Ｃ２の内面に沿った略円錐状に成型される。
したがって、図２に示すものは、前記図１に示した実施例１よりも少ない溶解材料Ｂで均一形状の先端被覆部材６を形成できるという利点がある。
【００３１】
尚、上記先端被覆部材６の色は、レフィール内に収容されたインクｉと同一色か又はそれに類似する対応した色にして、他の色との識別を容易にすることが好ましい。
その理由は、一般的にインクｉの色を確認する場合、半透明なインク収容管４を通して目視により行っているが、特に黒色と紺色やオレンジ色とピンク色等、半透明なインク収容管４を通すと明確に識別できない色の組み合わせが複数組あり、このような色間違いを解決するために、レフィールの製造過程で本来のインクｉの色と対応した色の先端被覆部材６をチップ先端部Ａ１に固着すれば、先端被覆部材６の色を見るだけでインクｉの色が識別し易くなって、色間違いによる事故を防止できる。
【００３２】
また上述した成形型Ｃの貫通孔Ｃ１や略円錐状凹部Ｃ２の形状は、図示したものに限定されず、例えば貫通孔Ｃ１の内周面を先端被覆部材６の挿入方向へ先細状に傾斜させるか又は逆向き傾斜させるなど、他の形状であっても良く、更に先端被覆部材６との接触面に溶解材料Ｂの付着を防止するための表面処理を施しても良い。
【図面の簡単な説明】
【００３３】
【図１】本発明の一実施例を示すボールペンチップの縦断面図であり、先端被覆部材の成形工程を（ａ）〜（ｃ）に示している。
【図２】本発明の他の実施例を示すボールペンチップの縦断面図である。
【符号の説明】
【００３４】
Ａ１  チップ先端部                    Ａ２  円筒部
１  テーパー部                        １ａ  カシメ側端部
１ｂ  大径側端部                      ２  転写ボール
３  カシメ部                          ６  先端被覆部材
６ａ  末端部                          ６ｂ  ストレート部
Ｂ  溶解材料                          Ｂ１  末端部
Ｃ  成形型                            Ｃ１  貫通孔
Ｃ２  凹部
【図１】
2005279979.tif 000003
【図２】
2005279979.tif 000004